【手続補正書】
【提出日】平成17年5月20日(2005.5.20)
【手続補正１】
【補正対象書類名】明細書
【補正対象項目名】０１０９
【補正方法】変更
【補正の内容】
【０１０９】
（２−２−１）領域指定による単純加算又は重複加算の代表輪郭線算出処理手順
図３との対応部分に同一符号を付して示す図２４において統合処理ブロック３は、変換部９、データ蓄積部１０及び単純加算処理部５１によって構成されており、入力部２を介して複数のユーザによって領域指定された選択領域５０ａ１〜５０ａｎ（図２３）に相当する選択領域信号Ｓ３ａ１〜Ｓ３ａｎを変換部９によりディジタルの選択領域データＤ３ａ１〜Ｄ３ａｎに順次変換し、これらをユーザ毎の選択領域データＤ３ａ１〜Ｄ３ａｎとしてデータ蓄積部１０に一時的に記憶した後、これを単純加算処理部５１へ送出する。
【手続補正２】
【補正対象書類名】明細書
【補正対象項目名】０１３０
【補正方法】変更
【補正の内容】
【０１３０】
（２−２−２）領域指定による度数又は重み付け度数を用いた重複加算の代表輪郭線算出処理手順
続いて、統合処理ブロック３による度数を用いた重複加算の代表輪郭線算出処理手順又は重み付け度数を用いた重複加算の代表輪郭線算出処理手順について説明する。
【手続補正３】
【補正対象書類名】明細書
【補正対象項目名】０１３３
【補正方法】変更
【補正の内容】
【０１３３】
この場合、統合処理ブロック３は、上述した選択領域輪郭抽出プログラムを用いて領域指定による度数を用いた重複加算の代表輪郭線算出処理手順又は領域指定による重み付け度数を用いた重複加算の代表輪郭線算出処理手順に従って代表輪郭線を算出するようになされており、以下に領域指定による度数を用いた重複加算の代表輪郭線算出処理手順又は領域指定による重み付け度数を用いた重複加算の代表輪郭線算出処理手順を順次説明する。
【手続補正４】
【補正対象書類名】明細書
【補正対象項目名】０１４０
【補正方法】変更
【補正の内容】
【０１４０】
そして統合処理ブロック３は、領域判定部６３によって、当該判定した結果を度数加算重複領域データＤ１０ａ１〜Ｄ１０ａｎとして選択領域計算部５３で全て加算することにより、度数加算重複領域データＤ１０ａ１〜Ｄ１０ａｎにおける全範囲を選択領域計算部５３による重複加算選択領域データＤ１１として得ることができ、この重複加算選択領域データＤ１１における全範囲の外周枠を代表輪郭線ＤＬ７として表示部４に出力し、次のステップＳＰ１０５へ移って領域指定による度数を用いた重複加算の代表輪郭線算出処理手順の説明を終了する。
【手続補正５】
【補正対象書類名】明細書
【補正対象項目名】０１４１
【補正方法】変更
【補正の内容】
【０１４１】
（２−２−２−２）領域指定による重み付け度数を用いた重複加算の代表輪郭線算出処理手順
また図３０に示すように統合処理ブロック３は、ルーチンＲＴ１１の開始ステップから入ってステップＳＰ１１１へ移る。ステップＳＰ１１１において統合処理ブロック３は、図２３に示したように、入力画像Ｓ１におけるオブジェクトＯＪ１の内周側が塗りつぶされた選択領域５０ａ１〜５０ａｎをユーザ毎の選択領域データＤ３ａ１〜Ｄ３ａｎとしてデータ蓄積部１０に一旦取り込み、次のステップＳＰ１１２へ移る。
【手続補正６】
【補正対象書類名】明細書
【補正対象項目名】０１４７
【補正方法】変更
【補正の内容】
【０１４７】
そして統合処理ブロック３は、選択領域計算部５３によって、度数加算重複領域データＤ１０ａ１〜Ｄ１０ａｎが全て重なり合った重複領域における全範囲の大きさを算出し、これを度数加算重複領域選択結果データＤ１２として得、この度数加算重複領域選択結果データＤ１２における全範囲の外周枠を代表輪郭線ＤＬ８として表示部４に出力し、次のステップＳＰ１１５へ移って領域指定による重み付け度数を用いた重複加算の代表輪郭線算出処理手順を終了する。
【手続補正７】
【補正対象書類名】明細書
【補正対象項目名】０２９７
【補正方法】変更
【補正の内容】
【０２９７】
この場合、例えば予測信頼度ＥＴ３６０ａ１〜ＥＴ３６０ａｎと、オブジェクトＯＪ１の輪郭のなぞり始めから終わりまで描線区間Ｋ３７０ａ１〜Ｋ３７０ａ３との統計的な輪郭指定傾向を表した描線区間変換テーブルＴＡ２６０においては、一般的に入力開始直後の所定描線区間Ｋ３７０ａ１では統計的にオブジェクトＯＪ１に対して丁寧になぞられることが多いので、当該描線区間Ｋ３７０ａ１での予測信頼度が高くなり、輪郭指示操作が進み入力途中の所定描線区間Ｋ３７０ａ２ではオブジェクトＯＪ１の輪郭に対して煩雑になぞられることが多いので、当該描線区間Ｋ３７０ａ２での予測信頼度が低くなる傾向にある。また入力終了直前の所定描線区間Ｋ３７０ａ３では再びユーザがオブジェクトＯＪ１に対して丁寧になぞることが多いので、当該描線区間Ｋ３７０ａ３での予測信頼度が高くなる傾向にある。
【手続補正８】
【補正対象書類名】明細書
【補正対象項目名】０４６９
【補正方法】変更
【補正の内容】
【０４６９】
また上述の実施の形態においては、オブジェクト輪郭抽出装置１が、生成画像Ｓ４１１（図５８）の仮想オブジェクトＶＯＪ４１１に対する試行輪郭指定操作をユーザに行わせることにより、誤差量ＧＱ４０１を算出し、当該算出した誤差量ＧＱ４０１と試行輪郭指定操作に要する試行描線時間Ｔ４０１とを対応付けることにより誤差傾向分析データテーブルＴＡ４０１（図６０）を生成する場合について述べたが、本発明はこれに限らず、例えば図８０に示すように、オブジェクトが存在せず、仮想オブジェクト形成線ＭＴＬ４０１のみが存在する生成画像Ｓ４０５を用意し、当該仮想オブジェクト形成線ＭＴＬ４０１をマウス等でなる入力部２を介してなぞらせる試行輪郭指定操作を行わせることにより入力線ＩＮＬ４０１を入力させ、当該入力線ＩＮＬ４０１及び仮想オブジェクト形成線ＭＴＬ４０１の間で生じる誤差量を算出し、当該算出した誤差量とかかる試行輪郭指定操作に要する試行描線時間とを対応付けることにより誤差傾向分析データテーブルを生成するようにしても良い。
【手続補正９】
【補正対象書類名】明細書
【補正対象項目名】０７３５
【補正方法】変更
【補正の内容】
【０７３５】
そして統合処理ブロック３は、分散テーブルＴＡ７００に基づいて、分析領域ＡＲ７０１〜ＡＲ７０４の中から例えば最も大きい部分分散値Ｂｕ７０３を有するオブジェクトＯＪ７００の分析領域ＡＲ７０３内に存在する所定部分を輪郭指定傾向通知画像Ｓ６７１中の拡大表示ウインドウＥＸＷ７００及び警告文ＩＡＰ７００を介して反映させ、ユーザに対して喚起させた状態で輪郭指定操作を行わせることにより、オブジェクトＯＪ７００の実際の輪郭に近似した輪郭指定操作を行わせることができる。
【手続補正１０】
【補正対象書類名】明細書
【補正対象項目名】０７３７
【補正方法】変更
【補正の内容】
【０７３７】
また統合処理ブロック３においては、部分分散値Ｂｕ７０１〜Ｂｕ７０４が小さいという理由だけで、その部分分散値Ｂｕ７０１〜Ｂｕ７０４が小さい例えば分析領域ＡＲ７０２（図１１６）におけるオブジェクトＯＪ７００の輪郭をなぞることが容易であって、輪郭指定操作を行う際にユーザに対して注意を喚起する分析領域ＡＲ７０３であると認識させる必要がないと判断してしまうことは妥当ではなく、当該部分分散値Ｂｕ７０３の小さい分析領域ＡＲ７０３についてもオブジェクトＯＪ７００の輪郭が正確になぞられていない輪郭指定重複傾向がある場合には、ユーザに注意を促す必要がある。
【手続補正１１】
【補正対象書類名】明細書
【補正対象項目名】０７５８
【補正方法】変更
【補正の内容】
【０７５８】
図１２５に示すように、統合処理ブロック３は、ルーチンＲＴ８００の開始ステップから入ってステップＳＰ８０１へ移り、当該ステップＳＰ８０１において輪郭形状が比較的複雑な輪郭抽出対象のオブジェクトを含んだ入力画像Ｓ８００をデータ蓄積部１０及び統合処理部８０２を順次介して表示部４（図２）に送出することによりユーザにオブジェクトの輪郭形状等を目視させ、次のステップＳＰ８０２へ移る。
【手続補正１２】
【補正対象書類名】明細書
【補正対象項目名】図面の簡単な説明
【補正方法】変更
【補正の内容】
【図面の簡単な説明】
【図１】本発明のオブジェクト輪郭抽出装置の形態を示す略線図である。
【図２】オブジェクト輪郭抽出装置の構成を示す略線的ブロック図である。
【図３】統合処理ブロックの構成（１）を示す略線的ブロック図である。
【図４】基準輪郭線決定処理手順（１）を示すフローチャートである。
【図５】入力画像の一例を示す略線図である。
【図６】輪郭指定操作が行われた入力画像を示す略線図である。
【図７】基準輪郭線決定処理手順（２）を示すフローチャートである。
【図８】基準輪郭線決定処理手順（３）を示すフローチャートである。
【図９】平均処理による代表輪郭線算出処理手順を示すフローチャートである。
【図１０】平均点の演算の説明に供する略線図である。
【図１１】代表輪郭線算出結果を示す略線図である。
【図１２】統合処理ブロックの構成（２）を示す略線的ブロック図である。
【図１３】重み付け平均処理による代表輪郭線算出処理手順を示すフローチャートである。
【図１４】統合処理ブロックの構成（３）を示す略線的ブロック図である。
【図１５】法線を用いた平均処理による代表輪郭線算出処理手順を示すフローチャートである。
【図１６】基準輪郭形成点及び入力輪郭形成点を示す略線図である。
【図１７】基準輪郭形成点間の補間及び入力輪郭形成点間の補間の説明に供する略線図である。
【図１８】法線の定義の説明に供する略線図である。
【図１９】平均点算出結果を示す略線図である。
【図２０】全ての基準輪郭形成点に対する平均点算出結果を示す略線図である。
【図２１】統合処理ブロックの構成（４）を示す略線的ブロック図である。
【図２２】法線を用いた重み付け平均処理による代表輪郭線算出処理手順を示すフローチャートである。
【図２３】選択領域を示す略線図である。
【図２４】統合処理ブロックの構成（５）を示す略線的ブロック図である。
【図２５】領域指定における単純加算の代表輪郭線算出処理手順を示すフローチャートである。
【図２６】単純加算処理による加算結果を示す略線図である。
【図２７】領域指定における重複加算の代表輪郭線算出処理手順を示すフローチャートである。
【図２８】統合処理ブロックの構成（６）を示す略線的ブロック図である。
【図２９】領域指定における度数を用いた重複加算の代表輪郭線算出処理手順を示すフローチャートである。
【図３０】領域指定における重み付け度数を用いた重複加算の代表輪郭線算出処理手順を示すフローチャートである。
【図３１】統合処理ブロック（７）の構成を示す略線的ブロック図である。
【図３２】変換テーブル生成部の構成（１）を示す略線的ブロック図である。
【図３３】描線速度変換テーブル生成処理手順を示すフローチャートである。
【図３４】描線速度算出処理手順を示すフローチャートである。
【図３５】描線速度算出領域距離及び最短輪郭線間距離の算出結果を示す略線図である。
【図３６】信頼度算出処理手順を示すフローチャートである。
【図３７】描線速度と信頼度との関係を示す略線図である。
【図３８】描線速度変換テーブルの構成を示す略線図である。
【図３９】統合処理部の構成（１）を示す略線的ブロック図である。
【図４０】予測信頼度に応じた重み付け平均処理による代表輪郭線算出処理手順を示すフローチャートである。
【図４１】平均点の演算を示す略線図である。
【図４２】統合処理ブロック（８）の構成を示す略線的ブロック図である。
【図４３】変換テーブル生成部の構成（２）を示す略線的ブロック図である。
【図４４】差分変換テーブル生成処理手順を示すフローチャートである。
【図４５】誤差量算出処理手順を示すフローチャートである。
【図４６】誤差量算出結果を示す略線図である。
【図４７】平均差分算出処理手順を示すフローチャートである。
【図４８】平均差分算出結果を示す略線図である。
【図４９】平均差分と誤差量との関係を示す略線図である。
【図５０】差分変換テーブルの構成を示す略線図である。
【図５１】統合処理部の構成（２）を示す略線的ブロック図である。
【図５２】予測誤差量に応じた補正処理による代表輪郭線算出処理手順を示すフローチャートである。
【図５３】補正用平均差分算出結果を示す略線図である。
【図５４】平均輪郭形成点の補正結果を示す略線図である。
【図５５】他の実施の形態による描線区間変換テーブルの構成を示す略線図である。
【図５６】統合処理ブロックの構成（９）を示す略線的ブロック図である。
【図５７】誤差傾向分析処理手順を示すフローチャートである。
【図５８】生成画像の一例を示す略線図である。
【図５９】誤差量を算出する様子を示す略線図である。
【図６０】誤差傾向分析データテーブルを示す略線図である。
【図６１】誤差傾向を利用した輪郭抽出処理手順を示すフローチャートである。
【図６２】平均点の算出の様子を示す略線図である。
【図６３】統合処理ブロックの構成（１０）を示す略線的ブロック図である。
【図６４】分散傾向を利用した輪郭抽出処理手順を示すフローチャートである。
【図６５】分散傾向分析処理手順を示すフローチャートである。
【図６６】入力画像における４つの分析領域を示す略線図である。
【図６７】分散傾向を分析する様子を示す略線図である。
【図６８】分散傾向データテーブルを示す略線図である。
【図６９】部分代表輪郭線算出処理手順を示すフローチャートである。
【図７０】選択された部分入力輪郭線の様子を示す略線図である。
【図７１】統合処理ブロックの構成（１１）を示す略線的ブロック図である。
【図７２】膨縮傾向分析処理手順を示すフローチャートである。
【図７３】膨縮傾向に基づく補正の様子を示す略線図である。
【図７４】膨縮傾向を利用した補正処理手順を示すフローチャートである。
【図７５】統合処理ブロックの構成（１２）を示す略線的ブロック図である。
【図７６】重心偏向傾向分析処理手順を示すフローチャートである。
【図７７】重心の様子を示す略線図である。
【図７８】重心偏向傾向を利用した補正処理手順を示すフローチャートである。
【図７９】重心偏向を補正する様子を示す略線図である。
【図８０】他の実施の形態の説明に供する略線図である。
【図８１】統合処理ブロックの構成（１３）を示すブロック図である。
【図８２】代表輪郭線算出処理手順を示すフローチャートである。
【図８３】輪郭指定処理手順を示すフローチャートである。
【図８４】画像表示例（１）を示す略線図である。
【図８５】合成輪郭線算出処理手順（１）を示すフローチャートである。
【図８６】合成輪郭線算出処理手順（２）を示すフローチャートである。
【図８７】平均点の演算の説明に供する略線図である。
【図８８】偏重割合変更操作（１）の説明に供する略線図である。
【図８９】偏重割合変更画面例を示す略線図である。
【図９０】変更平均点の演算（１）の説明に供する略線図である。
【図９１】変更平均点の演算（２）の説明に供する略線図である。
【図９２】分散分析処理手順を示すフローチャートである。
【図９３】分析領域の分割例を示す略線図である。
【図９４】部分輪郭線の認識の説明に供する略線図である。
【図９５】部分輪郭線における部分分散値の演算の説明に供する略線図である。
【図９６】分散テーブル例を示す略線図である。
【図９７】重み付け平均処理手順を示すフローチャートである。
【図９８】統合処理対象の判別の説明に供する略線図である。
【図９９】代表輪郭形成点の算出の説明に供する略線図である。
【図１００】画面表示例（２）を示す略線図である。
【図１０１】偏重割合変更操作（２）の説明に供する略線図である。
【図１０２】他の実施の形態による画像表示例を示す略線図である。
【図１０３】統合処理ブロックの構成（１４）を示すブロック図である。
【図１０４】輪郭指定条件変更結果を反映させた代表輪郭線算出処理手順（１）を示すフローチャートである。
【図１０５】第１の輪郭指定処理手順を示すフローチャートである。
【図１０６】画面表示例（１）を示す略線図である。
【図１０７】輪郭指定傾向分析処理手順を示すフローチャートである。
【図１０８】分析領域の分割例を示す略線図である。
【図１０９】部分輪郭線の認識の説明に供する略線図である。
【図１１０】部分輪郭線に対する分散値の演算の説明に供する略線図である。
【図１１１】分散テーブル例を示す略線図である。
【図１１２】第２の輪郭指定処理手順を示すフローチャートである。
【図１１３】画面表示例（２）を示す略線図である。
【図１１４】重み付け平均処理手順を示すフローチャートである。
【図１１５】重み付け平均点の演算の説明に供する略線図である。
【図１１６】入力輪郭線例を示す略線図である。
【図１１７】統合処理ブロックの構成（２）を示すブロック図である。
【図１１８】輪郭指定条件変更結果を反映させた代表輪郭線算出処理手順（２）を示すフローチャートである。
【図１１９】第１の回転画像輪郭処理手順を示すフローチャートである。
【図１２０】回転処理の様子（１）を示す略線図である。
【図１２１】ばらつきの様子を示す略線図である。
【図１２２】第２の回転画像輪郭処理手順を示すフローチャートである。
【図１２３】回転処理の様子（２）を示す略線図である。
【図１２４】統合処理ブロックの回路構成（１６）を示すブロック図である。
【図１２５】入力輪郭形成点群データ生成処理手順を示すフローチャートである。
【図１２６】分析部の回路構成（１）を示すブロック図である。
【図１２７】第１の注意喚起輪郭線提示処理手順（１）を示すフローチャートである。
【図１２８】第１の注意喚起輪郭線提示処理手順（２）を示すフローチャートである。
【図１２９】平均点の算出の説明に供する略線図である。
【図１３０】平均点の更新の説明に供する略線図である。
【図１３１】基準輪郭補間線及び各喚起前入力輪郭補間線における相互の分散値の算出の説明に供する略線図である。
【図１３２】オブジェクト輪郭に対する喚起前最終平均点の誤差量の推測の説明に供する略線図である。
【図１３３】喚起前最終平均輪郭線における誤差強調部分の特定の説明に供する略線図である。
【図１３４】誤差強調部分における誤差の強調の説明に供する略線図である。
【図１３５】注意喚起輪郭線の生成の説明に供する略線図である。
【図１３６】注意喚起輪郭線の表示の説明に供する略線図である。
【図１３７】分析部の回路構成（２）を示すブロック図である。
【図１３８】第２の注意喚起輪郭線提示処理手順（１）を示すフローチャートである。
【図１３９】第２の注意喚起輪郭線提示処理手順（２）を示すフローチャートである。
【図１４０】描線速度の変化の説明に供する略線図である。
【図１４１】誤差強調部分における誤差の強調の説明に供する略線図である。
【図１４２】注意喚起輪郭線の表示の説明に供する略線図である。
【図１４３】分析部の回路構成（３）を示すブロック図である。
【図１４４】第３の注意喚起輪郭線提示処理手順（１）を示すフローチャートである。
【図１４５】第３の注意喚起輪郭線提示処理手順（２）を示すフローチャートである。
【図１４６】ユーザによる指定注意部分の指定の説明に供する略線図である。
【図１４７】統合処理部の回路構成を示すブロック図である。
【図１４８】代表輪郭線算出処理手順（１）を示すフローチャートである。
【図１４９】代表輪郭線算出処理手順（２）を示すフローチャートである。
【図１５０】重み付け平均処理の説明に供する略線図である。
【図１５１】他の実施の形態による誤差強調部分における誤差の強調の説明に供する略線図である。
【符号の説明】
１……オブジェクト輪郭抽出装置、２……入力部、３……統合処理ブロック、４……表示部、２００……変換部、２０１……データ蓄積部、２０２Ａ、２０２Ｂ……変換テーブル生成部、２０３Ａ、２０３Ｂ……統合処理部、２０８……信頼度算出部、２０９……描線速度算出部、２１０……輪郭抽出部、２１１、２６０……テーブル用データ生成部、２１２、２６１……テーブル用データ記憶部、２１３……予測信頼度算出部、２１８……重み係数演算回路部、２１９……基準輪郭線検出部、２２０…………重み付け平均点演算部、２５３……誤差量算出回路部、２５９……平均差分算出部、２６２……予測誤差量算出部、２７５……平均処理部、２７４……補正量演算部、２７６……補正処理部。